(57)【要約】【課題】レバーを回動するだけの簡単な操作で、十分なワイピング機能を発揮しながら、コネクタ同士を接続する。【解決手段】レバー２８０を回動させることにより、第１、第２のコネクタ１００、２１０を接続させるコネクタ装置で、第１のコネクタは表面に電極を有する基板を内装し、第２のコネクタは基板側の電極に接触導通する先端接触部を有する端子を内装する。レバーの回動操作の初期段階において、第１のコネクタに対して第２のコネクタをコネクタ嵌合方向と平行な方向に移動させて基板の表面に端子の先端接触部を接触させ、レバーの回動操作の後期段階において、第１のコネクタに対して第２のコネクタをコネクタ嵌合方向と直交する方向に移動させ、それにより基板の表面に沿って端子の先端接触部をスライドさせて端子の先端接触部を基板の表面の電極に擦りながら接触導通させる。【選択図】図１
2013045648.tif 000002
【特許請求の範囲】
【請求項１】
互いに接続される第１のコネクタおよび第２のコネクタと、これら第１のコネクタおよび第２のコネクタのうちの一方のコネクタに取り付けられたレバーを回動させることにより前記第１のコネクタと第２のコネクタを接続させるカム機構と、を備えたレバー付きのコネクタ装置であって、
前記第１のコネクタは、前記第２のコネクタが嵌合される嵌合凹部を有する第１のコネクタハウジングと、該第１のコネクタハウジングの嵌合凹部の内奥部に前記第２のコネクタの嵌合方向に対して垂直に対峙するよう配置され、前記第２のコネクタの嵌合方向に対向する側の表面に多数の電極を有する基板と、を備え、
前記第２のコネクタは、前記第１のコネクタハウジングの嵌合凹部に嵌合される第２のコネクタハウジングと、該第２のコネクタハウジングに形成された端子収容室に収容され且つ第２のコネクタハウジングの前記嵌合方向における前端に前記基板の表面に配置された電極に対して接触導通する先端接触部を位置させた端子と、を備え、
前記カム機構は、前記レバーの回動操作の初期段階において、前記第１のコネクタに対して前記第２のコネクタを前記嵌合方向と平行な方向に移動させて前記基板の表面に前記端子の先端接触部を接触させ、続いて、前記基板の表面に前記端子の先端接触部が接触した状態での前記レバーの回動操作の後期段階において、前記第１のコネクタに対して前記第２のコネクタを前記嵌合方向と直交する方向に移動させ、それにより前記基板の表面に沿って前記端子の先端接触部をスライドさせて該端子の先端接触部を前記基板の表面の電極に擦りながら接触導通させるよう構成されていることを特徴とするレバー付きのコネクタ装置。
【請求項２】
前記カム機構は、前記第１のコネクタおよび第２のコネクタのうちの一方のコネクタに回動自在に取り付けられると共に回動支点に対して所定の経路で形成されたカム溝を有する前記レバーと、前記他方のコネクタに設けられて前記レバーのカム溝に係合する係合ピンと、前記一方のコネクタに形成され、前記係合ピンが係合することで該係合ピンの移動経路を前記嵌合方向と平行な方向に規制する縦溝部および該縦溝部に連続し前記係合ピンが係合することで該係合ピンの移動経路を前記嵌合方向と直交する方向に規制する横溝部とからなるＬ字形の移動経路規制溝と、を備えており、前記レバーの回動に応じた前記カム溝と前記係合ピンによるカム作用と前記移動経路規制溝による前記係合ピンの移動経路の規制作用とにより、前記第１のコネクタに対し前記第２のコネクタを所定の移動経路に沿って移動させて接続することを特徴とする請求項１に記載のレバー付きのコネクタ装置。
【請求項３】
前記レバーを回動操作前の初期位置に仮係止する仮係止手段と回動操作後の接続完了位置に本係止する本係止手段と、が設けられていることを特徴とする請求項１又は２に記載のレバー付きのコネクタ装置。
【請求項４】
前記端子の先端接触部が、前記嵌合方向にスライド自在に設けられると共に、前記第２コネクタハウジングの前端から突出する方向に付勢されていることを特徴とする請求項１〜３のいずれか１項に記載のレバー付きのコネクタ装置。
【発明の詳細な説明】
【技術分野】
【０００１】
本発明は、表面に電極を有する基板を内装した第１のコネクタと、前記電極に接続する端子を内装した第２のコネクタとを、レバーの回動操作により互いに接続するようにしたレバー付きのコネクタ装置に関するものである。
【背景技術】
【０００２】
多数の端子の先端と基板の表面に設けられた多数の電極との電気接続を同時に行うことのできるコネクタが知られており、特にその中で、基板の電極の表面に酸化膜などが形成されている場合に酸化膜を端子の先端で擦り取りながら（ワイピングしながら）電気接続するコネクタが特許文献１などにおいて知られている。
【０００３】
特許文献１に記載のコネクタは、基板の所定の取付位置に取り付けられるハウジングと、そのハウジングから突出して基板の表面の電極に接触する端子と、ハウジングを基板に取り付けるときに最初の段階でハウジングを取付位置から横にずれた位置に保持し、次に取り付けを進めた段階でハウジングを横にずれた位置から取付位置に摺動させる機構とを含み、摺動の際に端子と電極を擦り合わせることでそれらの接触面の酸化膜を除去するようにしたものである。
【先行技術文献】
【特許文献】
【０００４】
【特許文献１】特開２０１０−１５３１５６号公報
【発明の概要】
【発明が解決しようとする課題】
【０００５】
ところが、特許文献１に記載のコネクタでは、基板の表面の電極と端子との摺動量を大きくとれないことから、ワイピング機能を十分に発揮できない懸念があった。
【０００６】
［本願発明の先行発明］
そこで、本発明者らは、図２０（ａ）に示すように、基板１０にコネクタ２０を矢印Ｆのように装着し、コネクタ２０の係合凸部２５を基板１０の係合溝１２に係合させた状態で、コネクタ２０を基板１０に沿って矢印Ｈのようにスライドさせて図２０（ｂ）の状態にすることにより、コネクタハウジング２１の端子収容室２２の内部に装着した端子（図示略）の先端を基板１０の表面の電極１１に摺動させ、それによりワイピング機能を発揮しながら電気接続するようにしたコネクタ構造を案出した。これによれば、端子と電極との間に十分な摺動量を確保できるので、端子と電極の接触導通性の信頼を高めることができる。
【０００７】
しかし、この構造では、コネクタ２０を手で持って、いったんＦ方向に押し付けて基板１０に装着した後に、更にＨ方向にスライドさせる必要があるので、コネクタの接続作業が面倒であるという課題があった。
【０００８】
本発明は、上述した事情に鑑みてなされたものであり、その目的は、レバーを回動するだけの簡単な操作で、十分なワイピング機能を発揮しながら、コネクタ同士を接続することのできるレバー付きのコネクタ装置を提供することにある。
【課題を解決するための手段】
【０００９】
本発明の上記目的は、下記の構成により達成される。
（１）  互いに接続される第１のコネクタおよび第２のコネクタと、これら第１のコネクタおよび第２のコネクタのうちの一方のコネクタに取り付けられたレバーを回動させることにより前記第１のコネクタと第２のコネクタを接続させるカム機構と、を備えたレバー付きのコネクタ装置であって、
前記第１のコネクタは、前記第２のコネクタが嵌合される嵌合凹部を有する第１のコネクタハウジングと、該第１のコネクタハウジングの嵌合凹部の内奥部に前記第２のコネクタの嵌合方向に対して垂直に対峙するよう配置され、前記第２のコネクタの嵌合方向に対向する側の表面に多数の電極を有する基板と、を備え、
前記第２のコネクタは、前記第１のコネクタハウジングの嵌合凹部に嵌合される第２のコネクタハウジングと、該第２のコネクタハウジングに形成された端子収容室に収容され且つ第２のコネクタハウジングの前記嵌合方向における前端に前記基板の表面に配置された電極に対して接触導通する先端接触部を位置させた端子と、を備え、
前記カム機構は、前記レバーの回動操作の初期段階において、前記第１のコネクタに対して前記第２のコネクタを前記嵌合方向と平行な方向に移動させて前記基板の表面に前記端子の先端接触部を接触させ、続いて、前記基板の表面に前記端子の先端接触部が接触した状態での前記レバーの回動操作の後期段階において、前記第１のコネクタに対して前記第２のコネクタを前記嵌合方向と直交する方向に移動させ、それにより前記基板の表面に沿って前記端子の先端接触部をスライドさせて該端子の先端接触部を前記基板の表面の電極に擦りながら接触導通させるよう構成されていることを特徴とするレバー付きのコネクタ装置。
【００１０】
（２）  前記カム機構は、前記第１のコネクタおよび第２のコネクタのうちの一方のコネクタに回動自在に取り付けられると共に回動支点に対して所定の経路で形成されたカム溝を有する前記レバーと、前記他方のコネクタに設けられて前記レバーのカム溝に係合する係合ピンと、前記一方のコネクタに形成され、前記係合ピンが係合することで該係合ピンの移動経路を前記嵌合方向と平行な方向に規制する縦溝部および該縦溝部に連続し前記係合ピンが係合することで該係合ピンの移動経路を前記嵌合方向と直交する方向に規制する横溝部とからなるＬ字形の移動経路規制溝と、を備えており、前記レバーの回動に応じた前記カム溝と前記係合ピンによるカム作用と前記移動経路規制溝による前記係合ピンの移動経路の規制作用とにより、前記第１のコネクタに対し前記第２のコネクタを所定の移動経路に沿って移動させて接続することを特徴とする上記（１）に記載のレバー付きのコネクタ装置。
【００１１】
（３）  前記レバーを回動操作前の初期位置に仮係止する仮係止手段と回動操作後の接続完了位置に本係止する本係止手段と、が設けられていることを特徴とする上記（１）又は（２）に記載のレバー付きのコネクタ装置。
【００１２】
（４）  前記端子の先端接触部が、前記嵌合方向にスライド自在に設けられると共に、前記第２コネクタハウジングの前端から突出する方向に付勢されていることを特徴とする上記（１）〜（３）のいずれかに記載のレバー付きのコネクタ装置。
【００１３】
上記（１）の構成のレバー付きのコネクタ装置によれば、レバーを一方向に回動操作するだけで、回動操作の初期段階において、第１のコネクタに対して第２のコネクタを嵌合方向と平行な方向に移動させて基板の表面に端子の先端接触部を接触させることができ、続いて回動操作の後期段階において、第１のコネクタに対して第２のコネクタを嵌合方向と直交する方向に移動させ、それにより基板の表面に沿って端子の先端接触部をスライドさせて端子の先端接触部を基板の表面の電極に擦りながら接触導通させることができる。従って、レバー操作だけで十分なワイピング機能を発揮させながら、信頼性の高い電気接続を達成することができ、コネクタ接続の作業性を向上させることができる。
【００１４】
上記（２）の構成のレバー付きのコネクタ装置によれば、カム溝を有するレバーと、カム溝に係合する係合ピンと、係合ピンの移動経路を規制する移動経路規制溝とにより、コネクタ接続の際の動きを制御することができるので、構成を簡単にすることができる。
【００１５】
上記（３）の構成のレバー付きのコネクタ装置によれば、レバーを初期位置と接続完了位置に確実に係止しておくことができるので、接続前や接続完了後にレバーが不用意に動くのを防ぐことができる。
【００１６】
上記（４）の構成のレバー付きのコネクタ装置によれば、端子の先端接触部が突出方向に付勢されているので、端子や電極に無理な力がかからないようにすることができると共に、スライド時の安定した作動を可能にすることができる。
【発明の効果】
【００１７】
本発明によれば、付属したレバーを回動するだけの簡単な操作を行うだけで、十分なワイピング機能を発揮させながら、コネクタ同士を接続することができ、電気接続の信頼性を高めることができる。
【図面の簡単な説明】
【００１８】
【図１】本発明の実施形態のコネクタ装置の接続前の状態を示す斜視図である。
【図２】実施形態のコネクタ装置を構成する第１のコネクタの構成図で、図２（ａ）は斜視図、図２（ｂ）は側面図、図２（ｃ）は図２（ｂ）のＩＩｃ−ＩＩｃ矢視断面図である。
【図３】実施形態のコネクタ装置を構成する第２のコネクタユニットの斜視図である。
【図４】同第２のコネクタユニットの中の第２のコネクタの構成図で、図４（ａ）は斜視図、図４（ｂ）は図４（ａ）のＩＶｂ矢視図である。
【図５】図３に示した第２のコネクタの側面図およびその部分拡大図である。
【図６】図３に示した第２のコネクタの別の方向から見た側面図およびその部分拡大図である。
【図７】同第２のコネクタに装着される端子の斜視図である。
【図８】図４に示した第２のコネクタユニットの中のレバーの構成図で、図８（ａ）は斜視図およびその部分拡大図、図８（ｂ）は側面図およびその部分拡大図である。
【図９】図４に示した第２のコネクタユニットの側面図およびその部分拡大図である。
【図１０】図４に示した第２のコネクタユニットの構成図で、図１０（ａ）は図９と別の方向から見た側面図、図１０（ｂ）は図１０（ａ）のＸｂ−Ｘｂ矢視断面図およびその部分拡大図である。
【図１１】実施形態のコネクタ装置を構成する第１のコネクタと第２のコネクタユニットとを嵌合し始めた初期の状態を示す斜視図である。
【図１２】図１１に示した状態の側面図およびその部分拡大図である。
【図１３】図１３（ａ）は図１１に示した状態の図１２と別の方向から見た側面図、図１３（ｂ）は図１３（ａ）のＸＩＩＩｂ−ＸＩＩＩｂ矢視断面図およびその部分拡大図である。
【図１４】図１２に示した状態からレバーを少し回動させた初期段階の状態を示す図で、図１２（ａ）は側面図、図１２（ｂ）は別の方向から見た側面図およびその部分拡大図である。
【図１５】図１４（ａ）のＸＶ−ＸＶ矢視断面図およびその部分拡大図である。
【図１６】図１４に示した状態からレバーを更に回動させた状態を示す図で、図１６（ａ）は側面図、図１６（ｂ）は別の方向から見た側面図およびその部分拡大図である。
【図１７】図１６（ａ）のＸＶＩＩ−ＸＶＩＩ矢視断面図およびその部分拡大図である。
【図１８】図１６に示した状態からレバーを接続完了位置まで回動させた最終段階の状態を示す図で、図１８（ａ）は側面図、図１８（ｂ）は別の方向から見た側面図およびその部分拡大図である。
【図１９】図１８（ａ）のＸＩＸ−ＸＩＸ矢視断面図およびその部分拡大図である。
【図２０】本発明者らが先に案出したコネクタ構造の構成図で、図２０（ａ）は基板にコネクタを装着した初期の段階を示す斜視図、図２０（ｂ）は基板に対しコネクタをスライドさせた接続完了時の状態を示す斜視図である。
【発明を実施するための形態】
【００１９】
以下、本発明の実施形態を図面を参照して説明する。
図１は実施形態のコネクタ装置の接続前の状態を示す斜視図である。
図１に示すように、実施形態のコネクタ装置は、図中下側の第１のコネクタ１００と、この第１のコネクタ１００に嵌合接続される図中上側の第２のコネクタ２１０と、この第２のコネクタ２１０の上側に装着されたコネクタカバー２５０と、第２のコネクタ２１０に装着されたレバー２８０とからなる。レバー２８０は、後述するカム機構を構成する主要素である。第２のコネクタ２１０とコネクタカバー２５０とレバー２８０は、一体に組み立てられることで第２のコネクタユニット２００を構成している。
【００２０】
図２は第１のコネクタの構成図、図３、図９、図１０は第２のコネクタユニットの構成図、図４〜図６は第２のコネクタの構成図、図７は第２のコネクタに装着される端子の構成図、図８はレバーの構成図である。
【００２１】
図２に示すように、第１のコネクタ１００は平面視略長方形状をなしており、第２のコネクタ２１０が嵌合される嵌合凹部１１２を有するアッパハウジング（第１のコネクタハウジング）１１０と、その下側に結合されたロアハウジング（第１のコネクタハウジング）１２０と、アッパハウジング１１０とロアハウジング１２０の間に固定された基板１３０とからなる。嵌合凹部１１２は、環状のフード壁１１１の内部に確保され、基板１３０は、嵌合凹部１１２の内奥部に、第２のコネクタ２１０の嵌合方向（以下、この方向を「コネクタ嵌合方向」という。図１１中の矢印Ａで示す方向である）に対して垂直に対峙するよう配置され、この基板１３０の、コネクタ嵌合方向に対向する側の表面には多数の電極１３１（図１３参照）が配列されている。また、アッパハウジング１１０のフード壁１１１の長い方の外壁面には、後述するカム機構の要素である一対の係合ピン１１５が突設されている。
【００２２】
第２のコネクタ２１０は、図４に示すように、第１のコネクタ１００のアッパハウジング１１０の嵌合凹部１１２に嵌合される第２のコネクタハウジング２１０Ａを有している。この第２のコネクタハウジング２１０Ａは平面視略長方形の厚肉板状をなしており、中央壁２１１と外周壁２１２とを有している。この第２のコネクタハウジング２１０Ａは、第１のコネクタ１００のアッパハウジング１１０の嵌合凹部１１２の内部に挿入されるものであるが、挿入された状態で長手方向に若干動くことができる小さめの寸法に形成されている〔図１３（ｂ）参照〕。
【００２３】
この第２のコネクタハウジング２１０Ａの中央壁２１１には、肉厚方向（第２のコネクタ２１０の嵌合方向）に貫通する複数の端子収容室２１３が形成されており、各端子収容室２１３にはそれぞれ端子２９０が収容固定されている。
【００２４】
各端子２９０は、図７に示すように、端子本体２９１と接触子２９２の２部品の組み合わせで構成されており、端子本体２９１は、前部に角筒状の箱部２９１ａを有すると共に、その後側に繋ぎ部２９１ｂを介して、電線の導体加締部２９１ｃと被覆加締部２９１ｄを有しており、後方に延びる電線の先端に取り付けられる。
【００２５】
また、接触子２９２は、端子本体２９１の箱部２９１ａの内部に挿入され、後端係合片２９２ｃを箱部２９１ａの壁に設けた係合孔２９１ｅに係止することで、先端接触部２９２ａを、箱部２９１ａの前端よりも矢印Ｅ方向（端子２９０の長手方向）にスライド自在に突出させている。そして、先端接触部２９２ａと後端係合片２９２ｃの間に形成されたバネ部（図示略）のバネ性により、先端接触部２９２ａを突出方向に付勢している。この先端接触部２９２ａは、第１のコネクタ１００の基板１３０の表面に配列された電極１３１に接触導通する部分であり、端子２９０が第２のコネクタハウジング２１０Ａの端子収容室２１３に適正に収容された状態で、コネクタハウジング２１０Ａの嵌合方向の前端より突出している〔図１３（ｂ）参照〕。
【００２６】
また、図４〜図６に示すように、第２のコネクタハウジング２１０の外周壁２１２には、その外側に間隔をあけて断面Ｌ字型の一対のレバー取付ブラケット２１５が一体に形成されている。レバー取付ブラケット２１５が第２のコネクタハウジング２１０の外周壁２１２の外側に間隔をおいて配置されているのは、コネクタ嵌合時にレバー取付ブラケット２１５を、第１のコネクタ１００のフード壁１１１に干渉せずにフード壁１１１の外側に位置させるようにするためである。各レバー取付ブラケット２１５には、外方に向けてレバー取付軸２１７が突設され、その近傍に第１のコネクタ１００側の係合ピン１１５が係合する移動経路規制溝２１６が設けられている。
【００２７】
移動経路規制溝２１６は、図５に示すように、係合ピン１１５が係合することで係合ピン１１５の移動経路をコネクタ嵌合方向と平行な方向に規制する縦溝部２１６ａと、縦溝部２１６ａに曲がり部２１６ｂを介して連続し、係合ピン１１５が係合することで係合ピン１１５の移動経路をコネクタ嵌合方向と直交する方向に規制する横溝部２１６ｃとからなる略Ｌ字形の経路として形成されている。また、レバー取付ブラケット２１５には、レバー２８０を初期位置に仮係止しておくための仮係止部（仮係止手段）２１８が設けられている。
【００２８】
また、図６に示すように、レバー取付軸２１７の先端には、レバー２８０を取り付けたときにレバー２８０の脱落を防ぐための抜け止め突起２１７ａが設けられている。また、図４、図５に示すように、第２のコネクタハウジング２１０Ａの外周壁２１２には、コネクタカバー２５０を係止するためのカバー係止部２１４や、第２のコネクタ２１０を第１のコネクタ１００の嵌合凹部１１２に嵌合させた初期の状態において第２のコネクタ２１０を第１のコネクタ１００に対して仮係止する仮係止突起２２１の付いた可撓板２２０などが設けられている。
【００２９】
次にカム機構の主要素であるレバー２８０について説明する。
図３および図８に示すように、レバー２８０は、各一端側に回動支点部となる取付孔２８３を有する一対の側板２８１と、これら一対の側板２８１の他端同士を連結する操作部２８２とを備える略Ｕ字状をなしており、第２のコネクタハウジング２１０Ａのレバー取付ブラケット２１５の外面に突設したレバー取付軸２１７に取付孔２８３を嵌めることで、第２のコネクタハウジング２１０Ａにコネクタ嵌合方向を含む面内で回動可能に装着されている。レバー２８０の取付孔２８３の周囲には凹部２８４が設けられ、レバー取付軸２１７の先端の抜け止め突起２７１がこの凹部２８４に収容されることで、レバー２８０は第２のコネクタハウジング２１０Ａに装着した状態で抜け止めされている。
【００３０】
このレバー２８０の各側板２８１には、取付孔２８３を基準にして所定経路のカム溝２８５が形成されている。このカム溝２８５は、入口部２８５ａから奥部２８５ｃに行くほど取付孔（回動支点）２８３からの距離が近くなるように設定されており、入口部２８５ａの直ぐ奥には、係合ピン１１５を拾い込むための当接壁２８５ｂが設けられている。
【００３１】
また、レバー２８０の各側板２８１の内面には、レバー取付ブラケット２１５の外面に突設した仮係止部２１８に係合することで、レバー２８０を回動操作前の初期位置に仮係止する仮係止突起（仮係止手段）２８７が設けられている。更に、レバー２８０の操作部２８２の内側には、図１９に示すように、レバー２８０を接続完了位置まで回動させたときに、コネクタカバー２５０側のロック部（本係止手段）２５６に係合するロック突起（本係止手段）２８６が設けられている。
【００３２】
また、コネクタカバー２５０は、図３に示すように、一対の側壁２５１と、これら側壁２１５の上端を繋ぐ天壁２５２とからなるＵ字状をなしており、側壁２５１に設けた係合孔２５４を第２のコネクタハウジング２１０Ａに設けたカバー係止部２１４に係合させることにより、第１のコネクタ２１０の上方を覆うように装着されている。
【００３３】
以上において説明した、カム溝２８５を有するレバー２８０と、第１のコネクタ１００側の係合ピン１１５と、第２のコネクタハウジング２１０Ａに形成した移動経路規制溝２１６は、レバー２８０の回動に応じたカム溝２８５と係合ピン１１５によるカム作用と移動経路規制溝２１６による係合ピン１１５の移動経路規制作用とにより、第１のコネクタ１００に対し第２のコネクタ２１０を所定の移動経路に沿って移動させて接続するカム機構を構成している。
【００３４】
そして、このような要素で構成されたカム機構は、レバー２８０の回動操作の初期段階において、第１のコネクタ１００に対して第２のコネクタ２１０をコネクタ嵌合方向と平行な方向に移動させて基板１３０の表面に端子２９０の先端接触部２９２ａを接触させ、続いて、基板１３０の表面に端子２９０の先端接触部２９２ａが接触した状態でのレバー２８０の回動操作の後期段階において、第１のコネクタ１００に対して第２のコネクタ２１０をコネクタ嵌合方向と直交する方向に移動させ、それにより基板１３０の表面に沿って端子２９０の先端接触部２９２ａをスライドさせて端子２９０の先端接触部２９２ａを基板１３０の表面の電極１３１に擦りながら接触導通させるようになっている。
【００３５】
次に、図１１〜図１９を参照して作用を説明する。
まず、図１１〜図１３に示すように、第１のコネクタ１００に対して第２のコネクタ２１０を矢印Ａ方向に押し付けて初期嵌合させる。この状態において、レバー２８０は初期位置に倒れて、図１０（ｂ）に示すように、仮係止部２１８と仮係止突起２８７が係合することにより仮係止されており、係合ピン１１５は、図１２に示すように移動経路規制溝２１６の縦溝部２１６ａとカム溝２８５の入口部２８５ａに入り込む。またこの時、図１３に示すように、端子２９０の先端接触部２９２ａと基板１３０の表面の電極１３１は接触しておらず、電気的接続はされていない。
【００３６】
この状態から、仮係止部２１８と仮係止突起２８７の係合を外しながら、図１４に示すように、レバー２８０を矢印Ｂのように回動させる。そうすると、係合ピン１１５にカム溝２８５の当接壁２８５ｂが当たり、当接壁２８５ｂが係合ピン１１５を押すことで、反作用として第１のコネクタ１００に対して第２のコネクタ２１０が図１５中の矢印Ｃ方向（嵌合を深める方向）に動き出す。この段階での第２のコネクタ２１０の動きは、係合ピン１１５が移動経路規制溝２１６の縦溝部２１６ａに沿って移動することになるので、矢印Ｃ方向のみに規制される。
【００３７】
次に更にレバー２８０を回動させると、係合ピン１１５が移動経路規制溝２１６の曲がり部２１６ｂに差し掛かる。この段階に達したときには、端子２９０の先端接触部２９２ａが基板１３０の表面に接触する。そして、端子２９０の先端接触部２９２ａが基板１３０の表面に接触した状態で更にレバー２８０を回動させると、図１６に示すように、係合ピン１１５が移動経路規制溝２１６の横溝部２１６ｃに入り込み、これより後は、係合ピン１１５が横溝部２１６ｃに沿って移動することになるので、第２のコネクタ２１０は、図１７中の矢印Ｄの方向（コネクタ嵌合方向と直交する方向）のみに移動することになる。
【００３８】
そして、この動きにより、基板１３０の表面に沿って端子２９０の先端接触部２９２ａがスライドして、最終的には図１９に示すように、端子２９０の先端接触部２９２ａが基板１３０の表面の電極１３１に擦りながら接触導通して、第１のコネクタ１００と第２のコネクタ２１０の電気接続が達成されることになる。このように最終段階までレバー２８０を回動させると、図１８および図１９に示すように、レバー２８０は初期位置に対して９０°回動した状態となり、レバー２８０側のロック突起２８６がコネクタカバー２５０のロック部２５６に係合して、レバー２８０がロックされる。
【００３９】
以上のように、本実施形態のコネクタ装置によれば、レバー２８０を一方向に回動操作するだけで、回動操作の初期段階において、第１のコネクタ１００に対して第２のコネクタ２１０をコネクタ嵌合方向と平行な方向に移動させて基板１３０の表面に端子２９０の先端接触部２９２ａを接触させることができ、続いて回動操作の後期段階において、第１のコネクタ１００に対して第２のコネクタ２１０をコネクタ嵌合方向と直交する方向に移動させ、それにより基板１３０の表面に沿って端子２９０の先端接触部２９２ａをスライドさせて端子２９０の先端接触部２９２ａを基板１３０の表面の電極１３１に擦りながら接触導通させることができる。従って、レバー２８０の操作だけで十分なワイピング機能を発揮させながら、信頼性の高い電気接続を達成することができ、コネクタ接続の作業性を向上させることができる。
【００４０】
また、この実施形態のコネクタ装置では、カム溝２８５を有するレバー２８０と、カム溝２８５に係合する係合ピン１１５と、係合ピン１１５の移動経路を規制する移動経路規制溝２１６とにより、コネクタ接続の際の動きを制御することができるので、構成を簡単にすることができる。
【００４１】
また、この実施形態のコネクタ装置では、レバー２８０を初期位置と接続完了位置に確実に係止しておくことができるので、接続前や接続完了後にレバー２８０が不用意に動くのを防ぐことができる。
【００４２】
また、この実施形態のコネクタ装置では、端子２９０の先端接触部２９２ａが突出方向に付勢されているので、端子２９０や電極１３１に無理な力がかからないようにすることができると共に、スライド時の安定した作動を可能にすることができる。
【００４３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、上記実施形態では、第１のコネクタ１００側に係合ピン１１５を設け、第２のコネクタ２１０側にレバー２８０を取り付けると共に移動経路規制溝２１６を設けていたが、それとは逆に、第２のコネクタ２１０側に係合ピン１１５を設け、第１のコネクタ１００側にレバー２８０や移動経路規制溝２１６を設けてもよい。
【符号の説明】
【００４５】
１００  第１のコネクタ
１１０  アッパハウジング（第１のコネクタハウジング）
１１２  嵌合凹部
１１５  係合ピン
１３０  基板
１３１  電極
２１０  第２のコネクタ
２１０Ａ  第２のコネクタハウジング
２１３  端子収容室
２１６  移動経路規制溝
２１６ａ  縦溝部
２１６ｂ  曲がり部
２１６ｃ  横溝部
２１８  仮係止部（仮係止手段）
２５６  ロック部（本係止手段）
２８０  レバー
２８６  ロック突起（本係止手段）
２８５  カム溝
２８７  仮係止突起（仮係止手段）
２９０  端子
２９２ａ  先端接触部
【図１】
2013045648.tif 000003
【図２】
2013045648.tif 000004
【図３】
2013045648.tif 000005
【図４】
2013045648.tif 000006
【図５】
2013045648.tif 000007
【図６】
2013045648.tif 000008
【図７】
2013045648.tif 000009
【図８】
2013045648.tif 000010
【図９】
2013045648.tif 000011
【図１０】
2013045648.tif 000012
【図１１】
2013045648.tif 000013
【図１２】
2013045648.tif 000014
【図１３】
2013045648.tif 000015
【図１４】
2013045648.tif 000016
【図１５】
2013045648.tif 000017
【図１６】
2013045648.tif 000018
【図１７】
2013045648.tif 000019
【図１８】
2013045648.tif 000020
【図１９】
2013045648.tif 000021
【図２０】
2013045648.tif 000022